(57)【要約】【課題】複数個の缶、瓶等の筒状容器を集積して収容する集積収容機能と、それらを一度に持ち運ぶための運搬機能とを備えた筒状容器キャリアカートンにおいて、ブランクシートの使用面積を従来よりも縮小するとともに、収容した容器と容器とが互いに直接に接触しないように仕切りを形成した筒状容器キャリアカートンを提供する。【解決手段】筒状容器上端部をホールドする孔設部１を備えた上面板２と、垂直把手板３と、筒状容器の中間部をホールドする両側面板４、４と、各々嵌挿孔設部５を備えた両傾斜面板６、６と、底面板７とを備えた筒状容器キャリアカートンにおいて、上面板２は複数個の筒状容器の上端部をホールドする長円形の孔設部１を１個所に備え、前記垂直把手板３はその下部に折目を介さずに連続して垂直な容器仕切板８を備える。【選択図】図１
2006335368.tif 000002
【特許請求の範囲】
【請求項１】
複数個の筒状容器の上端部をホールドする孔設部１を備えた略水平乃至傾斜屋根型の一対の上面板２、２と、該一対の上面板２、２の中央に垂直に立設する垂直把手板３と、該垂直把手板３と平行に対向する前記上部板２の各々外端部に垂直に延設する筒状容器の中間部をホールドする両側面板４、４と、該両側面板４、４の各々下端部に前記複数個の各々筒状容器の下端部を嵌挿する各々嵌挿孔設部５を備えた両傾斜面板６、６と、該両傾斜面板６、６に水平に延設する底面板７とを備えた筒状容器キャリアカートンにおいて、前記上面板２は複数個の筒状容器の上端部をホールドする長円形の孔設部１を１個所に備え、前記垂直把手板３はその下部に折目を介さずに連続して垂直な容器仕切板８を備えることを特徴とする筒状容器キャリアカートン。
【請求項２】
請求項１記載の筒状容器キャリアカートンにおいて、長円形の両端に対向する半円形の形状に対向して設けた各々半円切込部１ａ、１ａと該半円切込部１ａ、１ａの各々一端部の対向内側を連結する直線切込部１ｂとにより形成された複数個の筒状容器の上端部をホールドする１個所の孔設部１を設けた略水平乃至傾斜屋根型となる一対の上面板２、２と、該一対の上面板２、２の対向する前記各々半円切込部１ａ、１ａの各々他端部の対向外側に、折目ａを介して連設した垂直把手板３と、該垂直把手板３に連続して前記孔設部１領域内に形成された仕切板８と、前記上面板２の対向する各々半円切込部１ａ、１ａの各々一端部の対向外側に、前記折目ａと平行な折目ｂを介して連設した側面板４と、該側面板４に前記折目ａと平行な折目ｃを介して連設した傾斜面板６と、該傾斜面板６に前記折目ｃを接線とする半円以下の部分円の形状に等間隔に孔設した複数個の筒状容器の下端部を嵌挿する各々嵌挿孔設部５と、該各々嵌挿孔設部５の対向外側に前記折目ａと平行な折目ｄを介して連設した底面板７とを、前記折目ａと平行な底面板７端部の折目ｅを介して線対称に設けたブランクシートを用いて形成される筒状容器キャリアカートンであって、前記ブランクシートを折目ｅにて平坦に二つ折りして、各々前記垂直把手板３、３、仕切板８、８側面板４、４、傾斜面板６、６、底面板７、７を重ね合わせ、必要に応じて前記垂直把手板３、３又は／及び仕切板８、８の重ね合わせ面を接合した後、前記折目ａ、ａ、ｂ、ｂ、ｃ、ｃ、ｄ、ｄを折り曲げて、前記垂直把手板３と仕切板８とを垂直に起立させ、複数個の筒状容器の上端部をホールドする長円形の孔設部１を１個所に備えた略水平乃至屋根型の上面板２と、該上面板２の中央に垂直に立設する垂直把手板３及びその下部に折目を介さずに連続する垂直な容器仕切板８と、該垂直把手板３と平行に対向する前記上部板２の各々外端部に垂直に延設する筒状容器の中間部をホールドする両側面板４、４と、該両側面板４、４の各々下端部に前記複数個の各々筒状容器の下端部を嵌挿する各々嵌挿孔設部５を備えた両傾斜面板６、６と、該両傾斜面板６、６に水平に延設する底面板７とを立ち起こすことを特徴とする筒状容器キャリアカートン。
【請求項３】
請求項１又は２記載の筒状容器キャリアカートンにおいて、前記一対の上面板２、２が傾斜屋根型であって、中央の前記垂直把手板３の方向に高く傾斜していることを特徴とする筒状容器キャリアカートン。
【請求項４】
請求項１又は２記載の筒状容器キャリアカートンにおいて、前記一対の上面板２、２が傾斜屋根型であって、中央の前記垂直把手板３の方向に低く傾斜していることを特徴とする筒状容器キャリアカートン。
【請求項５】
請求項１乃至４のいずれか１項記載の筒状容器キャリアカートンにおいて、前記垂直把手板３の上部先端部が、該筒状容器キャリアカートン内に前記孔設部１より収容された筒状容器の上端部より低位にあって該筒状容器キャリアカートンに収容された該筒状容器の上端部の上側に順に積み重ね可能であることを特徴とする筒状容器キャリアカートン。
【請求項６】
請求項１乃至５のいずれか１項記載の筒状容器キャリアカートンにおいて、前記底面板７に前記傾斜面板６の各々嵌挿孔設部５側に突出する部分円形状の補助底面板７ａを設けたことを特徴とする筒状容器キャリアカートン。
【発明の詳細な説明】
【技術分野】
【０００１】
本発明は、複数個の缶、瓶等の筒状容器を集積して収容する集積収容機能と、それらを一度に持ち運ぶための運搬機能とを備えた筒状容器キャリアカートンに関する。
【背景技術】
【０００２】
ジュースやビール等の飲料や、その他の内容物を包装した複数個の缶、瓶等の筒状容器を集積して収容する集積収容機能と、それらを一度に持ち運ぶための運搬機能とを備えた従来のキャリアカートンとしては、例えば、図６の全体斜視図に示すように、複数個の各々筒状容器１０の上端部１０ａをホールドする各々孔設部１を複数個所に備えた略水平乃至屋根型の上面板２と、該上面板２の中央に垂直に立設する垂直把手板３と、該垂直把手板３と平行に対向する前記上部板２の各々外端部に垂直に延設する筒状容器の中間部をホールドする両側面板４、４と、該両側面板４、４の各々下端部に前記複数個の各々筒状容器の下端部を嵌挿する各々嵌挿孔設部５を備えた両傾斜面板６、６と、該両傾斜面板６、６に水平に延設する底面板７とを備えた筒状容器キャリアカートンがある。
【０００３】
上記筒状容器キャリアカートンの前記上面板２の複数個所に設けた各々孔設部１は、複数個の筒状容器１０の各々上端部１０ａをホールドするために、その間に上面板２を挟んで各々単独に独立して孔設されており、それぞれ孔設部１内に筒状容器１０を１本ずつ差し込んで収納するようになっていた。
【発明の開示】
【発明が解決しようとする課題】
【０００４】
本発明は、上記のような複数個の缶、瓶等の筒状容器を集積して収容する集積収容機能と、それらを一度に持ち運ぶための運搬機能とを備えた筒状容器キャリアカートンにおいて、そのカートンを製函するためのブランクシートの使用面積を従来よりも縮小することができるとともに、キャリアカートン内に収容した容器と容器とが、互いに直接に接触しないように仕切りを形成することができる筒状容器キャリアカートンを提供することにある。
【課題を解決するための手段】
【０００５】
本発明の請求項１に係る発明は、複数個の筒状容器の上端部をホールドする孔設部１を備えた略水平乃至傾斜屋根型の一対の上面板２、２と、該一対の上面板２、２の中央に垂直に立設する垂直把手板３と、該垂直把手板３と平行に対向する前記上部板２の各々外端部に垂直に延設する筒状容器の中間部をホールドする両側面板４、４と、該両側面板４、４の各々下端部に前記複数個の各々筒状容器の下端部を嵌挿する各々嵌挿孔設部５を備えた両傾斜面板６、６と、該両傾斜面板６、６に水平に延設する底面板７とを備えた筒状容器キャリアカートンにおいて、前記上面板２は複数個の筒状容器の上端部をホールドする長円形の孔設部１を１個所に備え、前記垂直把手板３はその下部に折目を介さずに連続して垂直な容器仕切板８を備えることを特徴とする筒状容器キャリアカートンである。
【０００６】
本発明の請求項２に係る発明は、上記請求項１に係る筒状容器キャリアカートンにおいて、長円形の両端に対向する半円形の形状に対向して設けた各々半円切込部１ａ、１ａと該半円切込部１ａ、１ａの各々一端部の対向内側を連結する直線切込部１ｂとにより形成された複数個の筒状容器の上端部をホールドする１個所の孔設部１を設けた略水平乃至傾斜屋根型となる一対の上面板２、２と、該一対の上面板２、２の対向する前記各々半円切込部１ａ、１ａの各々他端部の対向外側に、折目ａを介して連設した垂直把手板３と、該垂直把手板３に連続して前記孔設部１領域内に形成された仕切板８と、前記上面板２の対
向する各々半円切込部１ａ、１ａの各々一端部の対向外側に、前記折目ａと平行な折目ｂを介して連設した側面板４と、該側面板４に前記折目ａと平行な折目ｃを介して連設した傾斜面板６と、該傾斜面板６に前記折目ｃを接線とする半円以下の部分円の形状に等間隔に孔設した複数個の筒状容器の下端部を嵌挿する各々嵌挿孔設部５と、該各々嵌挿孔設部５の対向外側に前記折目ａと平行な折目ｄを介して連設した底面板７とを、前記折目ａと平行な底面板７端部の折目ｅを介して線対称に設けたブランクシートを用いて形成される筒状容器キャリアカートンであって、前記ブランクシートを折目ｅにて平坦に二つ折りして、各々前記垂直把手板３、３、仕切板８、８側面板４、４、傾斜面板６、６、底面板７、７を重ね合わせ、必要に応じて前記垂直把手板３、３又は／及び仕切板８、８の重ね合わせ面を接合した後、前記折目ａ、ａ、ｂ、ｂ、ｃ、ｃ、ｄ、ｄを折り曲げて、前記垂直把手板３と仕切板８とを垂直に起立させ、複数個の筒状容器の上端部をホールドする長円形の孔設部１を１個所に備えた略水平乃至屋根型の上面板２と、該上面板２の中央に垂直に立設する垂直把手板３及びその下部に折目を介さずに連続する垂直な容器仕切板８と、該垂直把手板３と平行に対向する前記上部板２の各々外端部に垂直に延設する筒状容器の中間部をホールドする両側面板４、４と、該両側面板４、４の各々下端部に前記複数個の各々筒状容器の下端部を嵌挿する各々嵌挿孔設部５を備えた両傾斜面板６、６と、該両傾斜面板６、６に水平に延設する底面板７とを立ち起こすことを特徴とする筒状容器キャリアカートンである。
【０００７】
本発明の請求項３に係る発明は、上記請求項１又は２に係る筒状容器キャリアカートンにおいて、前記一対の上面板２、２が傾斜屋根型であって、中央の前記垂直把手板３の方向に高く傾斜していることを特徴とする筒状容器キャリアカートンである。
【０００８】
本発明の請求項４に係る発明は、上記請求項１又は２に係る筒状容器キャリアカートンにおいて、前記一対の上面板２、２が傾斜屋根型であって、中央の前記垂直把手板３の方向に低く傾斜していることを特徴とする筒状容器キャリアカートンである。
【０００９】
本発明の請求項５に係る発明は、上記請求項１乃至４のいずれか１項に係る筒状容器キャリアカートンにおいて、前記垂直把手板３の上部先端部が、該筒状容器キャリアカートン内に前記孔設部１より収容された筒状容器の上端部より低位にあって、該筒状容器キャリアカートンに収容された該筒状容器の上端部の上側に順に積み重ね可能であることを特徴とする筒状容器キャリアカートンである。
【００１０】
本発明の請求項６に係る発明は、上記請求項１乃至５のいずれか１項記載の筒状容器キャリアカートンにおいて、前記底面板７に前記傾斜面板６の各々嵌挿孔設部５側に突出する部分円形状の補助底面板７ａを設けたことを特徴とする筒状容器キャリアカートンである。
【発明の効果】
【００１１】
本発明の筒状容器キャリアカートンは、複数個の缶、瓶等の筒状容器を集積して収容する集積収容機能と、それらを一度に持ち運ぶための運搬機能とを備えた筒状容器キャリアカートンであって、その筒状容器キャリアカートンの上面板２には、複数個の各々筒状容器１０の上端部１０ａをホールドするための孔設部１が１個所に、長円形状に設けられており、また、キャリアカートンの垂直把手板３には、その下部に折目を介さずに連続した垂直な容器仕切板８が設けられているものである。
【００１２】
そのために、複数個の各々筒状容器１０をホールドするための上記孔設部１の形成領域を縮小することができ、製函用ブランクシートの上面板２の使用面積を従来よりも縮小することができる。
【００１３】
また、筒状容器キャリアカートンの上面板２から垂直把手板３を立ち起こすことにより長円形状の容器仕切板８が、上面板２に孔設した長円形状の孔設部１の領域内より垂直把手板３と連続して一体に立ち起こされて得られ、キャリアカートン内に収容した容器と容器とが互いに直接に接触しないための仕切板８を備えた筒状容器キャリアカートンを提供することができる。
【００１４】
また、本発明の筒状容器キャリアカートンの上面板２には、筒状容器１０の荷重ｋによるモーメント力が働いて、垂直把手板３、３及び仕切板８、８の重ね合わせ内面は、互いに接合されていなくても、又は接合されていても、容器１０と共に、互いに密接する方向に力が働くため、安定した持ち運びができるものである。
【００１５】
また、本発明の筒状容器キャリアカートンは、垂直把手板３の上部先端部を、該キャリアカートン内に収容された筒状容器の上端部より低位になるように形成することができるので、垂直把手板３は本発明の筒状容器キャリアカートンに収容された筒状容器の高さの揃った最上端部により形成される仮想水平面よりも低位になって、筒状容器キャリアカートンに収容された筒状容器上に、同様の筒状容器を収容した他の筒状容器キャリアカートンや本発明の筒状容器キャリアカートンなどの底面部が平坦な物品を、順に積み重ねることが可能になるものである。
【発明を実施するための最良の形態】
【００１６】
本発明の筒状容器キャリアカートンを図面に基づいて以下に詳細に説明する。
図１は、本発明の筒状容器キャリアカートンの側面図、図５は、その全体斜視図であり、図１に示すように、本発明のカートンは、複数個の各々筒状容器１０の上端部１０ａをホールドする孔設部１を孔設した略水平乃至屋根型の上面板２、２を備え、該上面板２、２の中央には垂直に立設する垂直把手板３を備える。なお、垂直把手板３の領域内には、手指を挿入する孔設部９が設けられ、該孔設部９には必要に応じて折目ｆを介して折返片９ａが設けられる。
【００１７】
前記垂直把手板３に平行に対向する前記上部板２、２の各々外端部には、垂直に延設する筒状容器１０の中間部１０ｂをホールドする両側面板４、４を備え、該両側面板４、４の各々下端部には、複数個の各々筒状容器１０の下端部１０ｃを嵌挿する各々嵌挿孔設部５を備えた両傾斜面板６、６を備え、該両傾斜面板６、６の間には、水平に延設する底面板７を備えている。
【００１８】
そして、図１、図５に示すように、前記上面板２には、複数個の各々筒状容器１０の上端部１０ａをホールドする長円形の孔設部１を１個所に備え、前記垂直把手板３は、その下部に折目を介さずに連続して垂直な容器仕切板８を備えるものである。
【００１９】
また、前記底面板７には、図５に示すように、必要に応じて、前記傾斜面板６の各々嵌挿孔設部５側に突出するように、筒状容器１０の底面部の形状に沿うように、部分円形状の補助底面板７ａが設けられている。
【００２０】
本発明の上記筒状容器キャリアカートンを製函するためのブランクシートの一例としては図２に示すようなものがある。
【００２１】
例えば、上記筒状容器キャリアカートンを製函するためのブランクシートとして、図２に示すように、長円形の両端に対向する半円形の形状に対向して設けた各々半円切込部１ａ、１ａと、該半円切込部１ａ、１ａの各々一端部の対向内側を連結する直線切込部１ｂとにより形成された複数個の筒状容器の上端部をホールドする１個所の孔設部１を設けた上面板２を備える。
【００２２】
あるいは、長円形の両端に対向する半円形の形状に対向して設けた各々半円切込部１ａ、１ａと、該半円切込部１ａ、１ａの各々一端部の対向内側を連結する前記直線切込部１ｂと平行な直線切込部１ｃとにより形成された複数個の筒状容器の上端部をホールドする１個所の孔設部１を設けた上面板２を備える。その際は折込片８ａが形成されて、直線切込部１ｂ相当部分は折込片８ａの折目となる。
【００２３】
該上面板２の対向する各々半円切込部１ａ、１ａの各々他端部の対向外側には、折目ａを介して連設した垂直把手板３を備え、該垂直把手板３に連続して前記孔設部１領域内に形成された仕切板８を備える。なお、垂直把手板３の領域内には、手指を挿入する孔設部９が設けられ、該孔設部９には必要に応じて折目ｆを介して折返片９ａが設けられる。
【００２４】
前記上面板２の対向する各々半円切込部１ａ、１ａの各々一端部の対向外側には、前記折目ａと平行な折目ｂを介して連設した側面板４を備え、該側面板４には、前記折目ａと平行な折目ｃを介して連設した傾斜面板６を備える。
【００２５】
該傾斜面板６には、前記折目ｃを接線とする半円以下の部分円の形状に等間隔に孔設した複数個の各々筒状容器１０の下端部１０ａを嵌挿する各々嵌挿孔設部５を備える。
【００２６】
該各々嵌挿孔設部５の対向外側には、前記折目ａと平行な折目ｄを介して連設した底面板７を備える。
【００２７】
そして、該底面板７には、前記折目ａと平行な該底面板７端部の折目ｅを介して線対称に、上記上面板２、垂直把手板３、側面板４、傾斜面板６、底面板７と同様の上面板２、垂直把手板３、側面板４、傾斜面板６、底面板７が連設されて、図２に示す本発明の筒状容器キャリアカートンを製函するためのブランクシートが形成される。
【００２８】
図２に示す上記筒状容器キャリアカートン製函用ブランクシートは、図３（ａ）に示すように折目ｅを介して二つ折りして重ね合わせて二つ折りブランクシートを形成した後、図３（ｂ）に示すように、二つ折りブランクシートのそれぞれ上面板２、側面板４、傾斜面板６、底面板７を立ち起こすことにより、図５（ａ）に示すような本発明の筒状容器キャリアカートンが得られる。
【００２９】
本発明の筒状容器キャリアカートンにおいては、図３（ａ）〜（ｂ）に示す二つ折りブランクシートの垂直把手板３、３、又は／及び垂直仕切板８、８の重ね合わせ内面は、互いに接合されていなくても良いし、図３（ｂ）に示すように、接着剤やホッチキス等を用いて斜線部分のように接合されていても、いずれでもよい。
【００３０】
本発明の筒状容器キャリアカートンは、例えば、図３（ａ）〜図３（ｂ）のように組み立て製函した状態であって、図４（ａ）に示すように、垂直把手板３、３を垂直仕切板８、８と共に、折目ａ、ｂを介して下方（実線矢印方向）に垂直に下降させることができ、これにより垂直把手板３、３の上部先端部３ａを筒状容器１０の上端部より低位置に移動させることができるものである。
【００３１】
これにより、前記垂直把手板３は、筒状容器キャリアカートン内に収容された筒状容器の高さの揃った最上端部により形成される仮想水平面よりも低位置になる。
【００３２】
そのため、図４（ｂ）に示すように、上記筒状容器キャリアカートンは、筒状容器１０を収容した状態で、収容されたその筒状容器上の上側に、同様の筒状容器を収容した他の筒状容器キャリアカートンや、本発明の筒状容器キャリアカートンなど、底面部が平坦な
物品を順に積み重ねることが可能になるものである。
【００３３】
そして、持ち運ぶ際は、図４（ａ）に示すように、垂直把手板３、３を垂直仕切板８、８と共に、折目ａ、ｂを介して上方（点線矢印方向）に垂直に上昇させることにより、垂直把手板３、３は筒状容器１０の上端部より高位置に移動して、垂直把手板３、３を手で持って持ち運ぶことができる。
【００３４】
上記図５（ａ）に示した本発明の筒状容器キャリアカートンは、図５（ｂ）に示すように、複数個の缶、瓶等の各々筒状容器１０を上面板２の長円形状の孔設部１からカートン内に差し込んで収容する集積収容機能と、それらを一度に持ち運ぶための運搬機能とを備えたものであり、そのキャリアカートンの上面板２には、複数個の各々筒状容器１０の上端部１０ａをホールドするための孔設部１が１個所に長円形状に設けられている。
【００３５】
また、本発明の筒状容器キャリアカートンは、長円形状の孔設部１の領域内が、垂直把手板３と連続一体化されていて、上面板２から立ち起こすことにより、長円形状の容器仕切板８が、上面板２に孔設した長円形状の孔設部１の領域内より垂直把手板３と連続して一体に立ち起こされ、垂直把手板３を挟んで両側のキャリアカートン内に収容した各々容器１０が、この容器仕切板８によって互いに直接に接触しないようになる。
【００３６】
また、本発明の筒状容器キャリアカートンは、筒状容器１０を上面板２の長円形状の孔設部１からカートン内に差し込んで収容した後に垂直把手板３を手指に持って持ち運ぶ際に、図１及び図３（ｂ）、図４（ｂ）に示すように、上面板２には、垂直把手板３及び仕切板８を挟んで両側の各々筒状容器１０、１０の下向き荷重ｋによって、重ね合わせた近接する各々垂直把手板３、３のそれぞれ折目ａ、ａを中心として、それぞれ下向きのモーメント力ｍ、ｍが働く。
【００３７】
そして、この筒状容器１０、１０による前記モーメント力により、該筒状容器１０、１０に挟まれた垂直把手板３、３及び仕切板８、８の重ね合わせ内面は、互いに接合されていなくても、又は接合されていても、容器１０と共に、互いに密接する方向に力が働くものである。そして安定した持ち運びができるものである。
【図面の簡単な説明】
【００３８】
【図１】本発明の筒状容器キャリアカートンの側面図。
【図２】本発明の筒状容器キャリアカートンの製函用ブランクシートの一例を示す展開図。
【図３】（ａ）は、本発明の筒状容器キャリアカートンの製函用ブランクシートを二つ折りしたブランクシートの側面図、（ｂ）は、その二つ折りしたブランクシートを立ち起こし製函した状態を説明する側面図。
【図４】（ａ）は、本発明の筒状容器キャリアカートンの製函用ブランクシートを二つ折りして立ち起こし製函した後に垂直把手板３、３を垂直仕切板８、８と共に下方に垂直に下降させた状態を説明する側面図、（ｂ）は、その本発明の筒状容器キャリアカートンに収容した筒状容器上に別の筒状容器キャリアカートンを積み重ねた状態を説明する側面図。
【図５】（ａ）は、立ち起こし製函した状態の本発明の筒状容器キャリアカートンを説明する全体斜視図、（ｂ）は、本発明の筒状容器キャリアカートンに容器を収容した状態を説明する全体斜視図。
【図６】（ａ）は、従来の筒状容器キャリアカートンの全体斜視図、（ｂ）は、従来の筒状容器キャリアカートンに容器を収容した状態を説明する全体斜視図。
【符号の説明】
【００３９】
１…孔設部
２…上面板
３…垂直把手板
３ａ…垂直把手板の上部先端部
４…側面板
５…嵌挿孔設部
６…傾斜面板
７…底面板
８…垂直仕切板
１０…容器
【図１】
2006335368.tif 000003
【図２】
2006335368.tif 000004
【図３】
2006335368.tif 000005
【図４】
2006335368.tif 000006
【図５】
2006335368.tif 000007
【図６】
2006335368.tif 000008